(57)【要約】無線通信の方法は、マクロｅノードＢがＰＲＳを送信する同じサブフレームにおける位置決め基準信号（ＰＲＳ）送信を阻止するように複数の遠隔ラジオ・ヘッド（ＲＲＨ）を設定することを含む。設定されたＲＲＨはおのおの、マクロｅノードＢと同じ物理セル識別情報（ＰＣＩ）を有する。ＲＲＨは、この設定にしたがって通信する。
2014509147.tif 000002
【特許請求の範囲】
【請求項１】
無線通信の方法であって、
マクロｅノードＢが位置決め基準信号（ＰＲＳ）を送信するサブフレームにおけるＰＲＳ送信を阻止するために、おのおのが前記マクロｅノードＢと同じ物理セル識別情報（ＰＣＩ）を有する複数の遠隔ラジオ・ヘッド（ＲＲＨ）を設定することと、
前記設定にしたがって通信することと、
を備える方法。
【請求項２】
前記複数の遠隔ラジオ・ヘッドを設定することは、前記複数の遠隔ラジオ・ヘッドにおけるＰＲＳ送信を設定しないことを備える、請求項１に記載の方法。
【請求項３】
前記複数の遠隔ラジオ・ヘッドを設定することは、前記複数の遠隔ラジオ・ヘッドにおけるＰＲＳ送信を禁止することを備える、請求項１に記載の方法。
【請求項４】
前記複数の遠隔ラジオ・ヘッドにおいて、マクロｅノードＢ  ＰＲＳ（位置決め基準信号）送信パターンとは異なるＰＲＳ送信パターンを設定することをさらに備える、請求項１に記載の方法。
【請求項５】
無線通信の方法であって、
複数の遠隔ラジオ・ヘッド（ＲＲＨ）を設定することと、
ユーザ機器（ＵＥ）からアップリンク送信を受信することと、
前記複数のＲＲＨおよびマクロｅノードＢにおいて受信されたアップリンク送信の受信信号時間差（ＲＳＴＤ）測定値に基づいて、前記ＵＥの位置を決定することと、
を備える方法。
【請求項６】
前記複数のＲＲＨおよびマクロｅノードＢにおいて受信されたアップリンク送信のＲＳＴＤ測定値を、前記ＵＥからの測定値と結合することをさらに備え、
前記ＵＥからの測定値は、位置決め基準信号（ＰＲＳ）送信のＲＳＴＤに基づく、請求項５に記載の方法。
【請求項７】
前記ＵＥからの測定値は、マクロｅノードＢがＰＲＳを送信するサブフレームにおけるＰＲＳ送信を禁止するように構成されたＲＲＨに基づく、請求項５に記載の方法。
【請求項８】
無線通信の方法であって、
遠隔ラジオ・ヘッドのユニークなセル・グローバル識別情報（ＣＧＩ）または仮想セルＩＤのうちの少なくとも１つに基づいて、前記遠隔ラジオ・ヘッドのユニークな位置決め基準信号（ＰＲＳ）を生成することと、
前記ユニークな位置決め基準信号を送信することと、
を備える方法。
【請求項９】
前記位置決め基準信号が、前記仮想セルＩＤまたは前記セル・グローバル識別情報のうちの少なくとも１つに基づいていることをユーザ機器（ＵＥ）へシグナルすること、をさらに備える請求項８に記載の方法。
【請求項１０】
ユーザ機器（ＵＥ）がサービス提供セルの境界にある場合、近傍セルにおける複数の遠隔ラジオ・ヘッドの位置決め基準信号構成を前記ＵＥへシグナルすること、をさらに備える請求項８に記載の方法。
【請求項１１】
ユーザ機器（ＵＥ）からアップリンク送信を受信することと、
前記受信されたアップリンク送信に基づいて、前記ＵＥの位置を決定することと、
をさらに備える請求項８に記載の方法。
【請求項１２】
無線通信のための装置であって、
メモリと、
前記メモリに接続された少なくとも１つのプロセッサとを備え、
前記少なくとも１つのプロセッサは、
マクロｅノードＢが位置決め基準信号（ＰＲＳ）を送信するサブフレームにおけるＰＲＳ送信を阻止するように、おのおのが前記マクロｅノードＢと同じ物理セル識別情報（ＰＣＩ）を有する複数の遠隔ラジオ・ヘッド（ＲＲＨ）を設定し、
前記設定にしたがって通信するように構成された、装置。
【請求項１３】
前記プロセッサは、前記複数の遠隔ラジオ・ヘッドにおけるＰＲＳ送信を設定しないことによって、前記複数の遠隔ラジオ・ヘッドを設定する、請求項１２に記載の装置。
【請求項１４】
前記プロセッサは、前記複数の遠隔ラジオ・ヘッドにおけるＰＲＳ送信を禁止することによって、前記複数の遠隔ラジオ・ヘッドを設定する、請求項１２に記載の装置。
【請求項１５】
前記プロセッサは、前記複数の遠隔ラジオ・ヘッドにおいて、マクロｅノードＢ  ＰＲＳ（位置決め基準信号）送信パターンとは異なるＰＲＳ送信パターンを設定する、請求項１２に記載の装置。
【請求項１６】
無線通信のための装置であって、
メモリと、
前記メモリに接続された少なくとも１つのプロセッサとを備え、
前記少なくとも１つのプロセッサは、
複数の遠隔ラジオ・ヘッド（ＲＲＨ）を設定し、
ユーザ機器（ＵＥ）からアップリンク送信を受信し、
前記複数のＲＲＨおよびマクロｅノードＢにおいて受信されたアップリンク送信の受信信号時間差（ＲＳＴＤ）測定値に基づいて、前記ＵＥの位置を決定するように構成された、装置。
【請求項１７】
前記プロセッサはさらに、前記複数のＲＲＨおよびマクロｅノードＢにおいて受信されたアップリンク送信のＲＳＴＤ測定値を、前記ＵＥからの測定値と結合するように構成され、
前記ＵＥからの測定値は、位置決め基準信号（ＰＲＳ）送信のＲＳＴＤに基づく、請求項１６に記載の装置。
【請求項１８】
前記ＵＥからの測定値は、マクロｅノードＢがＰＲＳを送信するサブフレームにおけるＰＲＳ送信を禁止するように構成された複数のＲＲＨに基づく、請求項１７に記載の装置。
【請求項１９】
無線通信のための装置であって、
メモリと、
前記メモリに接続された少なくとも１つのプロセッサとを備え、
前記少なくとも１つのプロセッサは、
遠隔ラジオ・ヘッドのユニークなセル・グローバル識別情報（ＣＧＩ）または仮想セルＩＤのうちの少なくとも１つに基づいて、前記遠隔ラジオ・ヘッドのユニークな位置決め基準信号（ＰＲＳ）を生成し、
前記ユニークな位置決め基準信号を送信するように構成された、装置。
【請求項２０】
前記プロセッサはさらに、前記位置決め基準信号が、前記仮想セルＩＤまたは前記セル・グローバル識別情報のうちの少なくとも１つに基づいていることをユーザ機器（ＵＥ）へシグナルするように構成された、請求項１９に記載の装置。
【請求項２１】
前記プロセッサはさらに、ユーザ機器（ＵＥ）がサービス提供セルの境界にある場合、近傍セルにおける複数の遠隔ラジオ・ヘッドの位置決め基準信号構成を前記ＵＥへシグナルするように構成された、請求項１９に記載の装置。
【請求項２２】
前記プロセッサはさらに、
ユーザ機器（ＵＥ）からアップリンク送信を受信し、
前記受信されたアップリンク送信に基づいて前記ＵＥの位置を決定する
ように構成された、請求項１９に記載の装置。
【請求項２３】
無線ネットワークにおける無線通信のためのコンピュータ・プログラム製品であって、
記録された非一時的なプログラム・コードを有する非一時的なコンピュータ読取可能な媒体を備え、前記プログラム・コードは、
マクロｅノードＢが位置決め基準信号（ＰＲＳ）を送信するサブフレームにおけるＰＲＳ送信を阻止するように、おのおのが前記マクロｅノードＢと同じ物理セル識別情報（ＰＣＩ）を有する複数の遠隔ラジオ・ヘッド（ＲＲＨ）を設定するためのプログラム・コードと、
前記設定にしたがって通信するためのプログラム・コードと
を備える、コンピュータ・プログラム製品。
【請求項２４】
無線ネットワークにおける無線通信のためのコンピュータ・プログラム製品であって、
記録された非一時的なプログラム・コードを有する非一時的なコンピュータ読取可能な媒体を備え、前記プログラム・コードは、
複数の遠隔ラジオ・ヘッド（ＲＲＨ）を設定するためのプログラム・コードと、
ユーザ機器（ＵＥ）からアップリンク送信を受信するためのプログラム・コードと、
前記複数のＲＲＨおよびマクロｅノードＢにおいて受信されたアップリンク送信の受信信号時間差（ＲＳＴＤ）測定値に基づいて、前記ＵＥの位置を決定するためのプログラム・コードと
を備える、コンピュータ・プログラム製品。
【請求項２５】
無線ネットワークにおける無線通信のためのコンピュータ・プログラム製品であって、
記録された非一時的なプログラム・コードを有する非一時的なコンピュータ読取可能な媒体を備え、前記プログラム・コードは、
遠隔ラジオ・ヘッドのユニークなセル・グローバル識別情報（ＣＧＩ）または仮想セルＩＤのうちの少なくとも１つに基づいて、前記遠隔ラジオ・ヘッドのユニークな位置決め基準信号（ＰＲＳ）を生成するためのプログラム・コードと、
前記ユニークな位置決め基準信号を送信するためのプログラム・コードと
を備える、コンピュータ・プログラム製品。
【請求項２６】
無線通信のための装置であって、
マクロｅノードＢが位置決め基準信号（ＰＲＳ）を送信するサブフレームにおけるＰＲＳ送信を阻止するために、おのおのが前記マクロｅノードＢと同じ物理セル識別情報（ＰＣＩ）を有する複数の遠隔ラジオ・ヘッド（ＲＲＨ）を設定する手段と、
前記設定にしたがって通信する手段と、
を備える装置。
【請求項２７】
無線通信のための装置であって、
複数の遠隔ラジオ・ヘッド（ＲＲＨ）を設定する手段と、
ユーザ機器（ＵＥ）からアップリンク送信を受信する手段と、
前記複数のＲＲＨおよびマクロｅノードＢにおいて受信されたアップリンク送信の受信信号時間差（ＲＳＴＤ）測定値に基づいて、前記ＵＥの位置を決定する手段と、
を備える装置。
【請求項２８】
無線通信のための装置であって、
遠隔ラジオ・ヘッドのユニークなセル・グローバル識別情報（ＣＧＩ）または仮想セルＩＤのうちの少なくとも１つに基づいて、前記遠隔ラジオ・ヘッドのユニークな位置決め基準信号（ＰＲＳ）を生成する手段と、
前記ユニークな位置決め基準信号を送信する手段と、
を備える装置。
【発明の詳細な説明】
【関連出願に対する相互参照】
【０００１】
本願は、２０１１年２月２２日に出願され「同じＰＣＩを有する遠隔ラジオ・ヘッド（ＲＲＨ）のための位置決め」（POSITIONING LOCATION FOR REMOTE RADIO HEADS (RRH) WITH SAME PCI）と題された米国仮出願６１／４４５，４８９に対する３５Ｕ．Ｓ．Ｃ  １１９条（ｅ）の下の利益を主張する。この開示は、本明細書において参照によってその全体が明確に組み込まれている。
【技術分野】
【０００２】
本開示のある態様は、一般に、無線通信システムに関し、さらに詳しくは、遠隔ラジオ・ヘッドを設定することに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００６】
モバイル・ブロードバンド・アクセスに対する需要が増加し続けているので、ＵＥが長距離無線通信ネットワークにアクセスすることや、短距離無線システムがコミュニティにおいて展開されることにより、干渉や混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
１つの態様は、無線通信の方法を開示する。この方法は、複数の遠隔ラジオ・ヘッド（ＲＲＨ）を設定することを含む。おのおののＲＲＨは、マクロｅノードＢと同じ物理セル識別情報（ＰＣＩ）を有する。ＲＲＨは、マクロｅノードＢがＰＲＳを送信するサブフレームにおける位置決め基準信号（ＰＲＳ）送信を阻止するように構成される。この方法はまた、設定にしたがって通信することを含む。
【０００８】
他の態様では、無線通信の方法は、複数の遠隔ラジオ・ヘッド（ＲＲＨ）を設定することを開示する。アップリンク送信がユーザ機器（ＵＥ）から受信され、ＵＥの位置が、ＲＲＨおよびマクロｅノードＢにおいて受信されたアップリンク送信の受信信号時間差（ＲＳＴＤ）測定値に基づいて決定される。
【０００９】
別の態様では、無線通信の方法は、遠隔ラジオ・ヘッドのためにユニークな位置決め基準信号（ＰＲＳ）を生成することを開示する。ＰＲＳは、遠隔ラジオ・ヘッドの仮想セルＩＤおよび／またはユニークなセル・グローバル識別情報（ＣＧＩ）に基づいて生成される。その後、ユニークな位置決め基準信号が送信される。
【００１０】
別の態様は、メモリと、メモリに接続された少なくとも１つのプロセッサとを有する無線通信を開示する。プロセッサ（単数または複数）は、複数の遠隔ラジオ・ヘッド（ＲＲＨ）を設定する。おのおののＲＲＨは、マクロｅノードＢと同じ物理セル識別情報（ＰＣＩ）を有する。ＲＲＨは、マクロｅノードＢがＰＲＳを送信するサブフレームにおける位置決め基準信号（ＰＲＳ）送信を阻止するように構成される。プロセッサは、ＲＲＨ設定にしたがって通信するように構成される。
【００１１】
別の態様では、無線通信は、複数の遠隔ラジオ・ヘッド（ＲＲＨ）を設定するプロセッサ（単数または複数）を開示する。プロセッサ（単数または複数）はまた、ユーザ機器（ＵＥ）からアップリンク送信を受信するように構成される。プロセッサ（単数または複数）はまた、ＲＲＨおよびマクロｅノードＢにおいて受信されたアップリンク送信の受信信号時間差（ＲＳＴＤ）測定値に基づいて、ＵＥの位置決めを行うように構成される。
【００１２】
他の態様では、無線通信は、遠隔ラジオ・ヘッド（ＲＲＨ）のためのユニークな位置決め基準信号（ＰＲＳ）を生成するように構成されたプロセッサ（単数または複数）を開示する。このユニークなＰＲＳは、遠隔ラジオ・ヘッドの仮想セルＩＤおよび／またはユニークなセル・グローバル識別情報（ＣＧＩ）に基づく。プロセッサはまた、ユニークな位置決め基準信号を送信するように構成される。
【００１３】
別の態様は、非一時的なコンピュータ読取可能な媒体を有する、無線ネットワークにおける無線通信のためのコンピュータ・プログラム製品を開示する。コンピュータ読取可能な媒体は、プロセッサ（単数または複数）によって実行された場合に、プロセッサ（単数または複数）に対して、マクロｅノードＢがＰＲＳを送信するサブフレームにおける位置決め基準信号（ＰＲＳ）送信を阻止するように複数の遠隔ラジオ・ヘッド（ＲＲＨ）を設定する動作を実行させる、記録された非一時的なプログラム・コードを有する。おのおののＲＲＨは、マクロｅノードＢと同じ物理セル識別情報（ＰＣＩ）を有する。プログラム・コードはさらに、プロセッサ（単数または複数）に対して、この設定にしたがって通信させる。
【００１４】
別の態様では、無線通信のためのコンピュータ・プログラム製品は、プロセッサ（単数または複数）によって実行された場合、プロセッサ（単数または複数）に対して、複数の遠隔ラジオ・ヘッド（ＲＲＨ）を設定させ、ユーザ機器（ＵＥ）からアップリンク送信を受信させるコンピュータ読取可能な媒体を開示する。このプログラム・コードはさらに、プロセッサ（単数または複数）に対して、ＲＲＨおよびマクロｅノードＢにおいて受信されたアップリンク送信の受信信号時間差（ＲＳＴＤ）測定値に基づいて、ＵＥの位置を決定させる。
【００１５】
別の態様では、無線通信のためのコンピュータ・プログラム製品は、プロセッサ（単数または複数）によって実行された場合、プロセッサ（単数または複数）に対して、遠隔ラジオ・ヘッドの仮想セルＩＤおよび／またはユニークなセル・グローバル識別情報（ＣＧＩ）に基づいて、遠隔ラジオ・ヘッドのユニークな位置決め基準信号（ＰＲＳ）を生成させるコンピュータ読取可能な媒体を開示する。プログラム・コードはさらに、プロセッサ（単数または複数）に対して、ユニークな位置決め基準信号を送信させる。
【００１６】
別の態様は、無線通信のための装置を開示する。この装置は、マクロｅノードＢがＰＲＳを送信するサブフレームにおける位置決め基準信号（ＰＲＳ）送信を阻止するように複数の遠隔ラジオ・ヘッド（ＲＲＨ）を設定する手段を含む。ＲＲＨのおのおのは、マクロｅノードＢと同じ物理セル識別情報（ＰＣＩ）を有する。この設定にしたがって通信するための手段もまた含まれる。
【００１７】
別の態様では、この装置は、複数の遠隔ラジオ・ヘッド（ＲＲＨ）を設定する手段と、ユーザ機器（ＵＥ）からアップリンク送信を受信する手段とを開示する。さらに、ＲＲＨおよびマクロｅノードＢにおいて受信されたアップリンク送信の受信信号時間差（ＲＳＴＤ）測定値に基づいて、ＵＥの位置を決定する手段が含まれている。
【００１８】
別の態様では、この装置は、遠隔ラジオ・ヘッドの仮想セルＩＤおよび／またはユニークなセル・グローバル識別情報（ＣＧＩ）に基づいて、遠隔ラジオ・ヘッドのユニークな位置決め基準信号（ＰＲＳ）を生成する手段を開示する。さらに、ユニークな位置決め基準信号を送信する手段が含まれている。
【００１９】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００２０】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信における典型的なフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の態様にしたがうヘテロジニアスなネットワークにおける適応リソース区分を概念的に例示するブロック図である。
【図６Ａ】図６Ａは、位置決めを行うために遠隔ラジオ・ヘッド（ＲＲＨ）を設定する方法を例示するブロック図である。
【図６Ｂ】図６Ｂは、位置決めを行うために遠隔ラジオ・ヘッド（ＲＲＨ）を設定する方法を例示するブロック図である。
【図６Ｃ】図６Ｃは、位置決めを行うために遠隔ラジオ・ヘッド（ＲＲＨ）を設定する方法を例示するブロック図である。
【図７】図７は、処理システムを適用する装置のためのハードウェア実装の例を例示する図解である。
【図８】図８は、処理システムを適用する装置のためのハードウェア実装の例を例示する図解である。
【図９】図９は、処理システムを適用する装置のためのハードウェア実装の例を例示する図解である。
【発明を実施するための形態】
【００２１】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００２２】
本明細書で記載された技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリア周波数分割多元接続（ＳＣ−ＦＤＭＡ）ネットワーク、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００２３】
図１は、設定可能な遠隔ラジオ・ヘッドを備えたＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００２４】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２５】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２６】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２７】
無線ネットワーク１００は、同期動作または非同期動作をサポートしうる。同期動作のために、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２８】
１つの態様では、無線ネットワーク１００は、周波数分割デュプレクス（ＦＤＤ）動作モードまたは時分割デュプレクス（ＴＤＤ）動作モードをサポートしうる。ここに記載された技術は、ＦＤＤ動作モードまたはＴＤＤ動作モードのために使用されうる。
【００２９】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００３０】
無線ネットワーク１００の全体にわたって、ＵＥ１２０（例えば、ＵＥ１２０ｘ、ＵＥ１２０ｙ等）が分布しうる。そして、おのおののＵＥは、固定式または移動式でありうる。ＵＥは、端末、ユーザ機器、移動局、加入者ユニット、局等とも称されうる。ＵＥは、セルラ電話（例えば、スマート・フォン）、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット、ネットブック、スマート・ブック等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。
【００３１】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００３２】
図２は、ＬＴＥにおいて使用されるダウンリンクＦＤＤ構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００３３】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３４】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動反復要求（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３５】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３６】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許容されうる。
【００３７】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３８】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３９】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００４０】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和されたシングル・キャリア動作において、ＵＬリソースで並列なチャネルが送信されうる。例えば、制御およびデータ・チャネル、並列制御チャネル、および並列データ・チャネルが、ＵＥによって送信されうる。
【００４１】
ＰＳＣ（一次同期キャリア）、ＳＳＣ（二次同期キャリア）、ＣＲＳ（共通基準信号）、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００４２】
図４は、図１における基地局／ｅノードＢのうちの１つ、およびＵＥのうちの１つでありうる、基地局／ｅノードＢ１１０とＵＥ１２０との設計のブロック図を示す。例えば、基地局１１０は、図１におけるマクロｅノードＢ１１０ｃでありうる。そして、ＵＥ１２０は、ＵＥ１２０ｙでありうる。基地局１１０はまた、例えば遠隔ラジオ・ヘッド（ＲＲＨ）、ピコｅノードＢ１１０ｘ、またはフェムトｅノードＢ１１０ｙのようなその他いくつかのタイプの基地局でありうる。基地局１１０は、アンテナ４３４ａ乃至４３４ｔを備え、ＵＥ１２０は、アンテナ４５２ａ乃至４５２ｒを備えうる。
【００４３】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００４４】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４５】
アップリンクでは、ＵＥ１２０において、送信プロセッサ４６４が、データ・ソース４６２から（例えば、ＰＵＳＣＨのための）データを、コントローラ／プロセッサ４８０から（例えば、ＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４６】
コントローラ／プロセッサ４４０，４８０は、基地局１１０およびＵＥ１２０それぞれにおける動作を指示しうる。基地局１１０／ＵＥ１２０におけるプロセッサ４４０／４８０および／またはその他のプロセッサおよびモジュールは、方法フロー・チャート図６Ａおよび図６Ｂに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４７】
（ヘテロジニアスなネットワーク）  
無線ネットワークは、異なる電力クラスのｅノードＢを有しうる。例えば、電力クラスが減少するに際し、マクロｅノードＢ、ピコｅノードＢ、およびフェムトｅノードＢのように、３つの電力クラスが定義されうる。このように異なる電力クラスのｅノードＢを特徴とするネットワークは、ヘテロジニアスなネットワークと称されうる。マクロｅノードＢ、ピコｅノードＢ、およびフェムトｅノードＢが同一チャネルに配置されている場合、マクロｅノードＢ（攻撃ｅノードＢ）の電力スペクトル密度（ＰＳＤ）は、ピコｅノードＢおよびフェムトｅノードＢ（犠牲ｅノードＢｓ）のＰＳＤよりも大きく、ピコｅノードＢとフェムトｅノードＢとに多大な干渉をもたらしうる。保護サブフレームは、ピコｅノードＢおよびフェムトｅノードＢとの干渉を低減または最小化するために使用されうる。すなわち、保護サブフレームは、犠牲ｅノードＢが、攻撃ｅノードＢにおける禁止サブフレームに対応するようにスケジュールされうる。
【００４８】
図１に戻って示すように、ヘテロジニアスな無線ネットワーク１００は、単位エリア毎のシステムのスペクトル効率を改善するために、ｅノードＢ１１０の多様なセット（すなわち、マクロｅノードＢ、ピコｅノードＢ、フェムトｅノードＢ、およびリレー）を使用する。マクロｅノードＢ１１０ａ−ｃは、通常、無線ネットワーク１００のプロバイダによって、注意深く計画され、配置される。マクロｅノードＢ１１０ａ−ｃは、一般に、高い電力レベル（例えば、５Ｗ−４０Ｗ）で送信する。一般に、実質的に低い電力レベル（例えば、１００ｍＷ−２Ｗ）で送信するピコｅノードＢ１１０ｘおよびリレー１１０ｒは、マクロｅノードＢ１１０ａ−ｃによって提供される有効通信範囲エリアにおける有効通信範囲ホールをなくすために、および、ホット・スポットにおける容量を改善するために、比較的無計画な方式で配置されうる。一般に、無線ネットワーク１００から独立して配置されるフェムトｅノードＢ１１０ｙ−ｚはやはり、アドミニストレータ（単数または複数）によって許可されている場合には、無線ネットワーク１００への潜在的なアクセス・ポイントとして、または、リソース調整および干渉管理の調整を実行するために、無線ネットワーク１００の他のｅノードＢ１１０と通信しうる、少なくともアクティブでアウェアなｅノードＢとして、の何れかとして、無線ネットワーク１００の有効通信範囲エリアへ組み込まれうる。また、フェムトｅノードＢ１１０ｙ−ｚは、一般に、マクロｅノードＢ１１０ａ−ｃよりも実質的に低い電力レベル（例えば、１００ｍＷ−２Ｗ）でも送信する。
【００４９】
例えば無線ネットワーク１００のようなヘテロジニアスなネットワークの動作では、おのおののＵＥは、通常、良好な信号品質のｅノードＢ１１０によってサービス提供される一方、他のｅノードＢ１１０から受信された、求められない信号は、干渉として取り扱われる。このような動作原理は、最適とはいえないパフォーマンスをもたらす一方、ｅノードＢ１１０間における高度なリソース調整、より良好なサーバ選択戦略、および、効率的な干渉管理のためのより進化した技術を用いることによって、無線ネットワーク１００におけるネットワーク・パフォーマンスの向上が達成される。
【００５０】
例えばピコｅノードＢ１１０ｘのようなピコｅノードＢは、例えばマクロｅノードＢ１１０ａ−ｃのようなマクロｅノードＢと比較された場合、実質的に低い送信電力によって特徴付けられる。また、ピコｅノードＢは、通常、アド・ホック方式では、例えば無線ネットワーク１００のようなネットワークの周囲に配置されるだろう。この無計画な配置によって、例えば無線ネットワーク１００のような、ピコｅノードＢ配置を伴う無線ネットワークは、低い信号対干渉条件を持つ広いエリアを有することが期待されうる。これは、有効通信範囲エリアまたはセルの端部のＵＥ（「セル・エッジ」ＵＥ）への制御チャネル送信のためのよりチャレンジングなＲＦ環境を生み出しうる。さらに、マクロｅノードＢ１１０ａ−ｃと、ピコｅノードＢ１１０ｘとの送信電力レベル間に潜在的に大きな相違（例えば、約２０ｄＢ）があることは、混合された配置では、ピコｅノードＢ１１０ｘのダウンリンク有効通信範囲エリアが、マクロｅノードＢ１１０ａ−ｃのダウンリンク有効通信範囲エリアよりも格段に小さいであろうことを示唆している。
【００５１】
しかしながら、アップリンクの場合では、アップリンク信号の信号強度はＵＥによって管理されるので、何れかのタイプのｅノードＢ１１０によって受信された場合、類似するようになるであろう。大まかに同じ、または、類似しているｅノードＢ１１０のアップリンク有効通信範囲エリアでは、アップリンク・ハンドオフ境界が、チャネル・ゲインに基づいて決定されるだろう。これは、ダウンリンク・ハンドオーバ境界とアップリンク・ハンドオーバ境界との間のミスマッチをもたらしうる。さらなるネットワーク適合が無ければ、このミスマッチは、無線ネットワーク１００における、サーバ選択、または、ｅノードＢに対するＵＥの関連付けを、ダウンリンクおよびアップリンクのハンドオーバ境界がより近く一致しているマクロｅノードＢのみのホモジニアス・ネットワークにおけるよりも、より困難にするであろう。
【００５２】
（範囲拡張）  
ＬＴＥリリース８規格で提供されているように、サーバ選択が、ダウンリンク受信信号強度に支配的に基づくのであれば、例えば無線ネットワーク１００のようなヘテロジニアスなネットワークの混成ｅノードＢ配置の有用性が大いに損なわれるだろう。これは、例えばマクロｅノードＢ１１０ａ−ｃのような高電力マクロｅノードＢの有効通信範囲エリアが広くなると、例えばピコｅノードＢ１１０ｘのようなピコｅノードＢを用いてセル有効通信範囲を分割する利点を制限するからである。なぜなら、マクロｅノードＢ１１０ａ−ｃのダウンリンク受信信号強度が高くなると、利用可能なＵＥのすべてに対して魅力的である一方、ピコｅノードＢ１１０ｘは、ダウンリンク送信電力がはるかに低いことによって、いずれのＵＥにもサービス提供しないからである。さらに、マクロｅノードＢ１１０ａ−ｃは、これらのＵＥに対して効率的にサービス提供するために、十分なリソースを持たない可能性が高くなるであろう。したがって、無線ネットワーク１００は、ピコｅノードＢ１１０ｘの有効通信範囲エリアを拡大することによって、マクロｅノードＢ１１０ａ−ｃとピコｅノードＢ１１０ｘとの間の負荷をアクティブに平準化するように試みるであろう。この概念は範囲拡張と称される。
【００５３】
無線ネットワーク１００は、サーバ選択が決定される方式を変更することによって、この範囲拡張を達成する。サーバ選択は、ダウンリンク受信信号強度に基づくのではなく、ダウンリンク信号の品質により基づく。１つのこのような品質ベースの決定では、サーバ選択は、ＵＥに対して最小の経路喪失しかもたらさないｅノードＢを決定することに基づきうる。さらに、無線ネットワーク１００は、マクロｅノードＢ１１０ａ−ｃと、ピコｅノードＢ１１０ｘとの間で固定されたリソース分割を等しく提供する。しかしながら、このようなアクティブな負荷平準化をもってしても、マクロｅノードＢ１１０ａ−ｃからのダウンリンク干渉は、例えばピコｅノードＢ１１０ｘのようなピコｅノードＢによってサービス提供されるＵＥのために緩和されねばならない。これは、ＵＥにおける干渉除去、ｅノードＢ１１０間のリソース調整等を含むさまざまな方法によって達成されうる。
【００５４】
例えば無線ネットワーク１００のように、範囲拡張されたヘテロジニアスなネットワークでは、例えばマクロｅノードＢ１１０ａ−ｃのような高電力のｅノードＢから送信された、より強いダウンリンク信号の存在下において、例えばピコｅノードＢ１１０ｘのような低電力のｅノードＢから、ＵＥがサービスを得るために、ピコｅノードＢ１１０ｘは、マクロｅノードＢ１１０ａ−ｃのうちの支配的な干渉元との制御チャネルおよびデータ・チャネルの干渉の調整を行う。干渉を管理するために、干渉調整のための別の多くの技術が適用されうる。例えば、同一チャネル配置におけるセルからの干渉を低減するために、セル間干渉調整（ＩＣＩＣ）が使用されうる。１つのＩＣＩＣメカニズムは、適応的なリソース区分である。適応的なリソース分割は、あるｅノードＢにサブフレームを割り当てる。第１のｅノードＢに割り当てられたサブフレームでは、近隣のｅノードＢは送信しない。したがって、第１のｅノードＢによってサービス提供されるＵＥによってもたらされる干渉が低減される。サブフレーム割当は、アップリンク・チャネルとダウンリンク・チャネルとの両方で実行されうる。
【００５５】
（適応的なリソース区分）  
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）の間で割り当てられる。保護サブフレームは、第１のｅノードＢによる限定的な使用のために第１のｅノードＢに割り当てられる。保護サブフレームはまた、近隣のｅノードＢからの干渉が無いことに基づいて、「クリーンな」サブフレームとも称される。禁止サブフレームは、近隣のｅノードＢに割り当てられたサブフレームであり、第１のｅノードＢは、禁止サブフレームの間、データを送信することを禁じられる。例えば、第１のｅノードＢの禁止サブフレームは、第２の干渉元のｅノードＢの保護サブフレームに対応しうる。したがって、第１のｅノードＢは、第１のｅノードＢの保護サブフレームの間にデータを送信している唯一のｅノードＢである。共通サブフレームは、複数のｅノードＢによるデータ送信のために使用されうる。共通サブフレームはまた、別のｅノードＢからの干渉の可能性があることから、「クリーンではない」サブフレームとも称されうる。
【００５６】
期間毎に、少なくとも１つの保護サブフレームが静的に割り当てられる。ある場合には、１つの保護サブフレームのみが静的に割り当てられる。例えば、期間が８ミリ秒である場合、１つの保護サブフレームが、毎８ミリ秒の間に、ｅノードＢに静的に割り当てられうる。他のサブフレームは動的に割り当てられうる。
【００５７】
適応リソース区分情報（ＡＲＰＩ）によって、非静的に割り当てられたサブフレームが、動的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満毎のように、迅速に変化しうる。
【００５８】
図５は、本開示の１つの態様にしたがうヘテロジニアスなネットワークにおけるＴＤＭ区分を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロｅノードＢは、サブフレーム７における禁止サブフレーム（Ｎサブフレーム）に対応する、サブフレーム７における保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。動的に割り当てられたサブフレーム（ＡＵ／ＡＮ／ＡＣ）は、本明細書において集合的に「Ｘ」サブフレームと称される。サブフレーム５，６において動的に割り当てられた共通サブフレーム（ＡＣ）では、フェムトｅノードＢとマクロｅノードＢとの両方が、データを送信しうる。
【００５９】
攻撃ｅノードＢは、送信することを禁止されているので、（例えばＵ／ＡＵサブフレームのような）保護サブフレームは、干渉が低減され、高いチャネル品質を有する。（例えば、Ｎ／ＡＮサブフレームのような）禁止サブフレームは、データ送信がないので、犠牲ｅノードＢは、低い干渉レベルでデータを送信できるようになる。（例えば、Ｃ／ＡＣサブフレームのような）共通サブフレームは、データを送信している近隣のｅノードＢの数に依存するチャネル品質を有する。例えば、近隣のｅノードＢが、共通サブフレームでデータを送信している場合、共通サブフレームのチャネル品質は、保護サブフレームよりも低くなりうる。共通サブフレームのチャネル品質はまた、攻撃ｅノードＢによって強く影響を受ける拡張境界エリア（ＥＢＡ）について低くなりうる。ＥＢＡ  ＵＥは、第１のｅノードＢに属するのみならず、第２のｅノードＢの有効通信範囲エリア内に配置されうる。例えば、フェムトｅノードＢ有効通信範囲の範囲限界近傍のマクロｅノードＢと通信するＵＥは、ＥＢＡ  ＵＥである。
【００６０】
ＬＴＥ／−Ａにおいて適用されうる別の干渉管理スキームの例は、緩慢な適応干渉管理である。干渉管理に対してこのアプローチを使用することによって、リソースが、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信元のｅノードＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用されるすべての情報へのアクセスを有し、かつ、例えば、ネットワーク・コントローラ１３０（図１）のようなすべての送信エンティティに対する制御を有する、中央エンティティによって計算されうる。この中央エンティティは、必ずしも現実的ではないか、また、望ましくもないかもしれない。したがって、代替態様では、ノードのあるセットからのチャネル情報に基づいて、リソース利用量を決定する、分散アルゴリズムが使用されうる。したがって、緩慢な適応干渉アルゴリズムは、中央エンティティを用いて適用されるか、あるいは、ネットワーク内のノード／エンティティのさまざまなセットにわたってアルゴリズムを分散させることによって配置されうる。
【００６１】
例えば無線ネットワーク１００のようなヘテロジニアス・ネットワークの構成では、ＵＥは、１または複数の干渉元のｅノードＢからの高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、調整された干渉管理を用いて、リソースをネゴシエートするために、バックホールを介して通信しうる。このネゴシエーションでは、フェムトｅノードＢ１１０ｙは、チャネル・リソースのうちの１つにおける送信を停止することに合意する。これによって、ＵＥ１２０ｙは、同じチャネルを介してｅノードＢ１１０ｃと通信する場合ほど、フェムト１１０ｙからの干渉を受けなくなるであろう。
【００６２】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムにわたって、推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、時間トラッキング・ループ（ＴＬＬ）誤差のレベルに近づきうる。
【００６３】
さらに、このタイミング差は、ＵＥにおける干渉除去に悪影響を与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００６４】
（同じ物理セル識別情報（ＰＣＩ）を有する遠隔ラジオ・ヘッド（ＲＲＨ）のための位置決め）  
現在、ＵＥの位置はネットワークによって決定される。位置決めサーバは、さまざまなマクロ基地局から受信された信号間の時間差を検出するＵＥに依存しうる。ＵＥは、検出された時間差を、位置決めサーバに返信する。その後、位置サーバは、受信したデータを収集し、三角測量によってＵＥの位置を決定する。１つのシステムの例は、ピコ・セルの基地局に類似した１または複数の遠隔ラジオ・ヘッド（ＲＲＨ）と、マクロ・セルの基地局である１または複数のマクロｅノード（ｅノードＢ）とを含む。例えばＣｏＭＰ（協調マルチ・ポイント）構成のようないくつかの構成では、遠隔ラジオ・ヘッドおよびマクロｅノードＢは、同じ物理セルＩＤ（ＰＣＩ）を有する。送信元のノード（例えば、ＲＲＨ、ピコ・セル、またはマクロｅノードＢ）の物理セルＩＤから、あるいは、それに基づいて、位置決め基準信号（ＰＲＳ）が生成される。遠隔ラジオ・ヘッドおよびマクロ・セルから送信された位置決め基準信号（ＰＲＳ）が同じである場合、ＵＥの位置決定が悪影響を受けうる。例えば、ＵＥがｅノードＢから遠く離れているが、遠隔ラジオ・ヘッドに近い場合、ＵＥは、ｅノードＢからの位置決め基準信号（ＰＲＳ）を返信する。これは、遠隔ラジオ・ヘッドからの位置決め基準信号（ＰＲＳ）と同じである。したがって、ＵＥがｅノードＢの近くであるかのように、位置決めサーバは、この情報を誤って解釈するだろう。本開示は、異なるノードが、同じ位置決め基準信号（ＰＲＳ）を送信することを阻止することを支援する。
【００６５】
本開示の１つの態様では、遠隔ラジオ・ヘッドからの位置決め基準信号（ＰＲＳ）送信が禁止される（silenced）。言い換えれば、遠隔ラジオ・ヘッドは、位置決め基準信号を送信しない。これによって、マクロｅノードＢは、位置決め基準信号を送信することができ、ＵＥは、正確に応答できるようになる。位置決め基準信号送信を禁止することは、ネットワーク側からのあらゆる入力を含まない。この解決策の利点は、位置決めサーバにおける簡単なスケーリングを含み、位置決め基準信号再使用を再計画する必要がないことである。別の態様では、最大電力のノードを除いて、同じ位置決め基準信号を有するすべてのノードが、送信を禁止されうる。例えば、ｅノードＢが最大電力を有する態様では、より低い電力の遠隔ラジオ・ヘッドが送信を禁止される。いくつかの態様では、同じ位置決め基準信号を有する、低電力のノード（例えば、ＲＲＨ、ピコ・セル、およびフェムト・セル）であると考慮されたノードのみが、送信を禁止される。
【００６６】
別の態様では、新たな識別情報が、各遠隔ラジオ・ヘッドに割り当てられる。特に、１つの構成では、新たな仮想識別情報（ＩＤ）が各遠隔ラジオ・ヘッドおよびｅノードＢに割り当てられる。その後、ＰＣＩ（物理セルＩＤ）ではない仮想ＩＤが、位置決め基準信号を生成するために使用され、その結果、遠隔ラジオ・ヘッドとｅノードＢとに対する異なる位置決め基準信号が得られる。これは、遠隔ラジオ・ヘッドのための既知の位置を与える。これは、位置決めのための精度を高めうる。
【００６７】
別の態様では、位置決め基準信号を生成するために、各遠隔ラジオ・ヘッドおよびｅノードＢのセル・グローバル識別情報（ＣＧＩ）のような識別子が使用されうる。セル・グローバル識別情報（ＣＧＩ）はまた、グローバル・セル識別情報（ＧＣＩ）とも称されうる。位置決め基準信号を生成するためにセル・グローバル識別情報（ＣＧＩ）を生成することは、遠隔ラジオ・ヘッドのための既知の位置を与える。これは、位置決めのための精度を再度高めうる。さらに、再使用が調整され、既存のＩＤと衝突しないＣＧＩが提供される。位置決めサーバは、ＣＧＩ衝突を回避するように、異なるマクロ・セルにおける遠隔ラジオ・ヘッドを設定しうる。ＵＥは、少なくとも１つのマクロ・セルと１または複数の遠隔ラジオ・ヘッドの位置決め基準信号構成が通知されうる。したがって、ＵＥは、どのセルを測定すべきかを認識している。近隣のマクロ・セルに近接しているＵＥはまた、近隣のマクロ・セルの位置決め基準信号構成を通知されうる。
【００６８】
また別の態様では、ノードのおのおのが、位置決め基準信号をブロードキャストしている場合を例示するスケジュールまたはパターンがマップされる。このマッピング機能がＵＥに通知され、その後、ＵＥの位置が計算されうる。なぜなら、位置決め基準信号自身は、どのノードが信号を送信したのかを識別しないにも関わらず、ＵＥは、位置決め基準信号がどのノードから送信されたのかを知っているからである。この設定では、たとえノードが同じ位置決め基準信号を送信している場合であっても、ＵＥ位置が決定されうる。なぜなら、必ずしもすべてのノードが、同時に位置決め基準信号を送信している訳ではないからである。
【００６９】
別の例では、位置決めのためにアップリンク送信が使用される。例えば、サウンディング基準信号（ＳＲＳ）送信、物理アップリンク制御チャネル（ＰＵＣＣＨ）送信、または物理アップリンク共有チャネル（ＰＵＳＣＨ）送信に基づいて、各ノードにおいて、三角測量のために、基準時間信号差（ＲＳＴＤ）が測定されうる。一例において、マクロ・セルおよび関連付けられた遠隔ラジオ・ヘッド位置が、位置決めサーバに知られている。さらに、別の例では、遠隔ラジオ・ヘッド位置決め基準信号送信が禁止されている場合、あるいは、位置決め基準信号がユニークな仮想ＩＤから、または、割り当てられたセル・グローバル識別情報（ＣＧＩ）から導出されている場合、アップリンク・データに基づく位置が、ダウンリンク測定値とマージされうる。
【００７０】
図６Ａ−６Ｃは、遠隔ラジオ・ヘッドを設定するための方法を例示するブロック図である。図６Ａは、複数の遠隔ラジオ・ヘッドが設定される方法６０１を提供する。ブロック６１０では、マクロｅノードＢが位置決め基準信号（ＰＲＳ）を送信する同じサブフレームにおける位置決め基準信号（ＰＲＳ）送信を阻止するようにＲＲＨが設定される。マクロｅノードＢと同じ物理セルＩＤ（ＰＣＩ）と、マクロｅノードＢよりも低い電力とを有するＲＲＨが設定される。送信は、ＰＲＳ送信を禁止することによって、または、ＰＲＳを送信しないようにＲＲＨを設定することによって阻止されうる。ブロック６１２では、この設定にしたがって遠隔ラジオ・ヘッドが通信する。
【００７１】
図６Ｂには、方法６０２が例示されている。ブロック６２０では、遠隔ラジオ・ヘッド（ＲＲＨ）が設定される。ブロック６２２では、ＲＲＨは、ＵＥ（ユーザ機器）からアップリンク送信を受信する。ブロック６２４では、ＵＥの位置が、ＲＲＨおよびマクロｅノードＢにおけるアップリンクの受信信号時間差（ＲＳＴＤ）測定値に基づいて決定される。
【００７２】
図６Ｃでは、方法６０３が提供される。ブロック６２０では、遠隔ラジオ・ヘッドのおのおののユニークなセル・グローバル識別情報（ＣＧＩ）または仮想セルＩＤに基づいて、各遠隔ラジオ・ヘッド（ＲＲＨ）について、ユニークな位置決め基準信号（ＰＲＳ）が生成される。ブロック６２２では、遠隔ラジオ・ヘッドが、ユニークな位置決め基準信号を送信する。
【００７３】
図７−９は、処理システム７１４，８１４，９１４を適用する装置７００，８００，９００のためのハードウェア実装の例を例示する図解である。処理システム７１４，８１４，９１４は、一般にバス７２４，８２４，９２４によって表されるバス・アーキテクチャを用いて実現されうる。バス７２４，８２４，９２４は、全体的な設計制約および処理システム７１４，８１４，９１４の特定のアプリケーションに依存して、任意の数の相互接続バスおよびブリッジを含みうる。バス７２４，８２４，９２４は、プロセッサ７０８，８０８，９０８、モジュール７０２，７０４，８０２，８０４，９０２，９０４およびコンピュータ読取可能な媒体７０６，８０６，９０６によって代表される、１または複数のプロセッサおよび／またはハードウェア・モジュールを含む、さまざまな回路をともに接続する。バス７２４，８２４，９２４はさらに、例えば、タイミング・ソース、周辺機器、電圧制御装置、および電力管理回路のようなその他さまざまな回路を接続しうる。これらは、当該技術分野で良く知られているので、さらなる説明はしない。
【００７４】
装置は、トランシーバ７１０，８１０，９１０に結合された処理システム７１４，８１４，９１４を含む。トランシーバ７１０，８１０，９１０は、１または複数のアンテナ７２０，８２０，９２０に接続されうる。トランシーバ７１０，８１０，９１０は、送信媒体を介してその他さまざまな装置と通信することを可能にする。処理システム７１４、８１４，９１４は、コンピュータ読取可能な媒体７０６，８０６，９０６に接続されたプロセッサ７０８，８０８，９０８を含む。プロセッサ７０８，８０８，９０８は、コンピュータ読取可能な媒体７０６，８０６，９０６に格納されたソフトウェアの実行を含む一般的な処理を担当する。ソフトウェアは、プロセッサ７０８，８０８，９０８によって実行された場合、処理システム７１４、８１４，９１４に対して、任意の特定の装置のために記載されたさまざまな機能を実行させる。コンピュータ読取可能な媒体７０６，８０６，９０６はまた、ソフトウェアを実行している場合に、プロセッサ７０８，８０８，９０８によって操作されるデータを格納するためにも使用されうる。
【００７５】
図７の処理システムは、設定モジュール７０２および通信モジュール７０４を含んでいる。設定モジュールは、マクロｅノードＢがＰＲＳを送信するサブフレームにおける位置決め基準信号（ＰＲＳ）送信を阻止するために、おのおのがマクロｅノードＢと同じ物理セルＩＤを有する遠隔ラジオ・ヘッド（ＲＲＨ）を設定しうる。通信モジュールは、遠隔ラジオ・ヘッドを、この設定にしたがって通信させうる。これらモジュールは、プロセッサ７０８において動作するソフトウェア・モジュールでありうるか、コンピュータ読取可能な媒体７０６に常駐／格納されうるか、プロセッサ７０８に接続された１または複数のハードウェア・モジュールであるか、またはこれらのいくつかの組み合わせでありうる。処理システム７１４は、ｅノードＢ１１０，１１０ｘ，１１０ｙの構成要件であり、メモリ４４２、送信プロセッサ４２０、受信プロセッサ４３８、変調器／復調器４３２ａ−ｔ、アンテナ４３４ａ−ｔ、および／または、コントローラ／プロセッサ４４０を含みうる。
【００７６】
図８の処理システムは、設定モジュール８０２、受信モジュール８０４、および決定モジュール８０６を含んでいる。設定モジュールは、複数の遠隔ラジオ・ヘッドを設定しうる。受信モジュールは、ユーザ機器からアップリンク送信を受信しうる。決定モジュールは、ＵＥの位置を決定しうる。これらモジュールは、プロセッサ８０８において動作するソフトウェア・モジュールでありうるか、コンピュータ読取可能な媒体８０６に常駐／格納されうるか、プロセッサ８０８に接続された１または複数のハードウェア・モジュールであるか、またはこれらのいくつかの組み合わせでありうる。処理システム８１４は、ｅノードＢ１１０，１１０ｘ，１１０ｙの構成要件であり、メモリ４４２、送信プロセッサ４２０、受信プロセッサ４３８、変調器／復調器４３２ａ−ｔ、アンテナ４３４ａ−ｔ、および／または、コントローラ／プロセッサ４４０を含みうる。
【００７７】
図９の処理システムは、生成モジュール９０２および送信モジュール９０４を含んでいる。生成モジュールは、遠隔ラジオ・ヘッドのユニークなセル・グローバル識別情報（ＣＧＩ）または仮想セルＩＤに基づいて、遠隔ラジオ・ヘッド（ＲＲＨ）のユニークな位置決め基準信号（ＰＲＳ）を生成しうる。送信モジュールは、遠隔ラジオ・ヘッドに対して、ユニークな位置決め信号を送信させうる。これらモジュールは、プロセッサ９０８において動作するソフトウェア・モジュールでありうるか、コンピュータ読取可能な媒体９０６に常駐／格納されうるか、プロセッサ９０８に接続された１または複数のハードウェア・モジュールであるか、またはこれらのいくつかの組み合わせでありうる。処理システム９１４は、ｅノードＢ１１０，１１０ｘ，１１０ｙの構成要件であり、メモリ４４２、送信プロセッサ４２０、受信プロセッサ４３８、変調器／復調器４３２ａ−ｔ、アンテナ４３４ａ−ｔ、および／または、コントローラ／プロセッサ４４０を含みうる。
【００７８】
１つの構成では、ｅノード１１０は、無線通信のための遠隔ラジオ・ヘッドを設定し、設定する手段を含んでいる。１つの態様では、設定する手段は、設定する手段によって記述された機能を実行するように構成された送信プロセッサ４２０、変調器４３２ａ−ｔ、コントローラ／プロセッサ４４０、および／または、メモリ４４２でありうる。ｅノード１１０はまた、通信する手段を含むようにも構成される。１つの態様では、通信する手段は、通信する手段によって詳述された機能を実行するように構成された送信プロセッサ４２０、変調器４３２ａ−ｔ、アンテナ４３４ａ−ｔ、コントローラ／プロセッサ４４０、メモリ４４２、および／または、受信プロセッサ４３８でありうる。別の態様では、前述された手段は、前述された手段によって記載された機能を実行するように構成された任意のモジュールまたは任意の装置でありうる。
【００７９】
別の構成では、基地局１１０（例えば、遠隔ラジオ・ヘッド）は、設定する手段を含んでいる。１つの態様では、設定する手段は、設定する手段によって詳述された機能を実行するように構成された送信プロセッサ４２０、変調器４３２ａ−ｔ、アンテナ４３４ａ−ｔ、コントローラ／プロセッサ４４０、および／または、メモリ４４２でありうる。ｅノード１１０はまた、受信する手段を含むようにも構成されている。１つの態様では、受信する手段は、受信する手段によって詳述された機能を実行するように構成されたアンテナ４３４ａ−ｔ、復調器４３２ａ−ｔ、ＭＩＭＯ検出器４３６、受信プロセッサ４３８、コントローラ／プロセッサ４４０、および／またはメモリ４４２でありうる。別の態様では、前述された手段は、前述された手段によって記載された機能を実行するように構成された任意のモジュールまたは任意の装置でありうる。
【００８０】
別の構成では、基地局１１０（例えば、遠隔ラジオ・ヘッド）は、生成する手段を含んでいる。１つの態様では、生成する手段は、設定する手段によって詳述された機能を実行するように構成されたコントローラ／プロセッサ４４０および／またはメモリ４４２でありうる。基地局１１０はまた、送信する手段をも含むようにも構成される。１つの態様では、送信する手段は、通信する手段によって詳述された機能を実行するように構成された送信プロセッサ４２０、変調器４３２ａ−ｒ、アンテナ４３４ａ−ｒ、コントローラ／プロセッサ４４０、および／またはメモリ４４２でありうる。別の態様では、前述された手段は、前述された手段によって記載された機能を実行するように構成された任意のモジュールまたは任意の装置でありうる。
【００８１】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８２】
本明細書の開示に関連して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８３】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８４】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００８５】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2014509147.tif 000003
【図２】
2014509147.tif 000004
【図３】
2014509147.tif 000005
【図４】
2014509147.tif 000006
【図５】
2014509147.tif 000007
【図６Ａ】
2014509147.tif 000008
【図６Ｂ】
2014509147.tif 000009
【図６Ｃ】
2014509147.tif 000010
【図７】
2014509147.tif 000011
【図８】
2014509147.tif 000012
【図９】
2014509147.tif 000013
【国際調査報告】
2014509147.tif 000014
2014509147.tif 000015
2014509147.tif 000016
2014509147.tif 000017
2014509147.tif 000018